(57)【特許請求の範囲】
【請求項１】
逆浸透膜を用いた逆浸透膜式海水淡水化設備と、
該逆浸透膜式海水淡水化設備の上流あるいは下流側に設けられた活性炭吸着処理設備と、
該活性炭吸着処理設備に高温流体を注入して活性炭を洗浄する高温流体注入設備とを設け、
前記活性炭吸着処理設備は、活性炭が内部に備えられる活性炭槽と、活性炭槽の流出口に設けられた活性炭が流出しないように形成された孔径の流出口側無機膜を設け、
前記活性炭層の活性炭洗浄時に洗浄廃液を活性炭槽から外へ排出する排出口を活性炭吸着処理設備の流入口より上流側に設け、前記活性炭吸着処理設備の流入口に活性炭が流出しないように形成された孔径の流入口側無機膜を設け。
活性炭槽の活性炭として粉末活性炭を用い、活性炭吸着処理設備の流入口側無機膜から活性炭槽へは下降流で流れる構造とし、活性炭吸着処理設備の活性炭槽から流出口側無機膜へは上向流で流れる構造とし、活性炭を洗浄する高温流体は前記流出口側無機膜を下降流で通過する構造とし、活性炭を洗浄した高温流体は前記流入口側無機膜を上向流で通過する構造とした海水淡水化システム。
【発明の詳細な説明】
【技術分野】
【０００１】
本発明は、海水から淡水を得るための逆浸透膜を用いた海水淡水化設備と前処理・後処理設備を含めた海水淡水化システムに関する。
【背景技術】
【０００２】
近年、逆浸透膜を用い、ろ過処理を行う海水淡水化装置が増加する傾向にある。逆浸透膜は、セルロースやポリアミド等の素材で造られており、この逆浸透膜に海水の浸透圧の二倍以上の圧力を加え、塩分は膜を透過させないで水を透過させることにより淡水を得ることができる。
【０００３】
海水に含まれるホウ素濃度が、４.５〜５mg／Ｌ程度であるのに対し、ＷＨＯの飲料水の水質基準値は０.５mg／Ｌであるので、ホウ素の阻止率は約９０％が必要である。しかし、一般的には、逆浸透膜モジュール１本のホウ素の阻止率は５０〜７０％であり、高圧逆浸透膜と低圧逆浸透膜の二段階処理が必要となって、イニシャルコストやランニングコストが増大する。ランニングコストをできるだけ低減するため、一段階処理の水と二段階処理の水を製造する二系統を設けて、処理水のホウ素濃度が基準値よりわずかに低くなるように、一段階処理の水と二段階処理の水をブレンドすることが実施されているが、イニシャルコストとランニングコストが増大する課題があった。
【０００４】
〔特許文献１〕には、逆浸透膜（半透膜）を用いて、海水中に含有されたホウ素を除去する淡水製造装置が開示されている。〔特許文献１〕に記載の淡水製造装置は、原水（海水）に前処理を施すフィルターなどの前処理と、前処理水を処理する第一の半透膜ユニットと、一次透過水を一旦貯留する中間水タンクと、中間水タンクに貯留されていた一次透過水を処理する第二の半透膜ユニットと、第一の半透膜ユニットの前段に設けられた高圧ポンプと、第二の半透膜ユニットの前段に設けられた昇圧ポンプとに加えて、更に高圧ポンプの前段に設けられた第一のアルカリ添加手段と、中間水タンク内の一次透過水のｐＨを高くする第二のアルカリ添加手段，二次透過水のｐＨを下げる酸添加手段とを備えた淡水製造装置であり、要するに、ｐＨによってホウ素等の成分の除去率が変化することを利用して、ｐＨの制御を行って淡水を効率的に製造するものである。
【先行技術文献】
【特許文献】
【０００５】
【特許文献１】特開２００６−１８７７１９号公報
【発明の概要】
【発明が解決しようとする課題】
【０００６】
〔特許文献２〕に記載の従来の技術は、装置が複雑になったり、薬品を常に加えることが必要となり、そのためにランニングコストが高くなるなどの問題があり、経済性の改善が要望されている。さらに、逆浸透膜処理後の廃液に薬品の成分が残留し、放流先である海域の生態系に影響を及ぼす課題を有している。
【０００７】
本発明の目的は、システム全体としてのランニングコストを低減できる海水淡水化システムを提供することにある。
【課題を解決するための手段】
【０００８】
上記の目的を達成するため、本発明の海水淡水化システムは、逆浸透膜を用いた逆浸透膜式海水淡水化設備と、該逆浸透膜式海水淡水化設備の上流あるいは下流側に設けられた活性炭吸着処理設備と、該活性炭吸着処理設備に高温流体を注入して活性炭を洗浄する高温流体注入設備と、を備えたものである。
【０００９】
又、逆浸透膜を用いた逆浸透膜式海水淡水化設備と、該逆浸透膜式海水淡水化設備の上流あるいは下流側に設けられた活性炭吸着処理設備と、該活性炭吸着処理設備の下流側に設けられた水質計測装置と、該水質計測装置から出力される水質計測値に基づき前記活性炭吸着処理設備の洗浄時期を演算によって求める洗浄トリガ演算部と、該洗浄トリガ演算部から出力される洗浄トリガ信号に基づき、前記活性炭吸着処理設備に高温流体を注入する高温流体注入設備と、を備えたものである。
【発明の効果】
【００１０】
本発明によれば、海水淡水化システムの処理水に含まれる溶解性成分濃度、特にホウ素濃度を基準値以下に抑制できるため、飲用に使用しても問題のない水を供給でき、高い安全性を確保することができる。また、薬品を使わないため、濃縮液の放流先に与える環境負荷も小さい。
【図面の簡単な説明】
【００１１】
【図１】本発明の実施例１の活性炭吸着処理設備を逆浸透膜式海水淡水化設備の前段に備えた海水淡水化システムの構成図である。
【図２】実施例１の活性炭吸着処理設備を逆浸透膜式海水淡水化設備の後段に備えた海水淡水化システムの他の構成図である。
【図３】実施例１における洗浄信号に関する海水淡水化システムの構成図である。
【図４】本実施例の海水淡水化システムにおける活性炭吸着処理設備の構造図である。
【図５】本実施例の海水淡水化システムにおける活性炭吸着処理設備の他の構造図である。
【図６】本発明の実施例２の海水淡水化システムにおける活性炭吸着処理設備の構造図である。
【図７】本発明の実施例３の海水淡水化システムにおける活性炭吸着処理設備の構造図である。
【発明を実施するための形態】
【００１２】
本発明の各実施例について図面を用いて説明する。
【実施例１】
【００１３】
図１は、本発明の実施例１の海水淡水化システムの構成をブロック線図で示す。
【００１４】
海水１２は、逆浸透膜式海水淡水化設備１８に流入する前に、活性炭吸着処理設備１４で処理される。図１中には示していないが、逆浸透膜式海水淡水化設備１８に、二層ろ過装置やＵＦ膜ろ過装置、あるいはＭＦ膜ろ過装置などの前処理設備が設けられている場合は、活性炭吸着処理設備１４は、その前処理設備より上流側にあっても、下流側にあってもいずれでもよい。
【００１５】
一般に、活性炭はホウ素の吸着能があるため、活性炭吸着処理設備１４から流出する活性炭設備処理水１６のホウ素濃度は低下している。したがって、この活性炭設備処理水１６を逆浸透膜式海水淡水化設備１８で淡水化した水のホウ素濃度も低く、飲用に使用しても問題のない淡水２０を供給する事ができる。
【００１６】
しかし、活性炭はその吸着量に限界があり、連続して使っていると飽和吸着量に近づくにつれて吸着能が低下する。一般に、飽和吸着量は温度が低いほど多く、逆に温度が高いほど少ない。したがって、低水温の条件下でホウ素を吸着した活性炭に、高水温の温水を供給すると、一度吸着したホウ素が活性炭から脱着する。その結果、活性炭の吸着能が回復する。
【００１７】
図１に示す例では、活性炭に高水温の温水を供給するために、高温流体注入設備２２から高温流体１０を注入している。高温流体１０とは、高温にした流体であれば何でもよく、淡水，海水、あるいは水蒸気や空気でもよい。温度は、例えば４０℃以上であればよい。高温流体注入設備２２としては、海水淡水化システムに併設される発電設備の排熱，太陽熱温水器で作られる温水、あるいは太陽光発電の光発電セルの冷却水を用いると効率が良い。
【００１８】
特に、海水淡水化設備と発電設備の双方が備えられているＩＷＰＰ（Independent Water and Power Production）の設備であればガスタービンあるいは原子力発電からの多量の排熱が得られるため、効率が良い。
【００１９】
本実施例の高温流体１０は、活性炭の吸着能回復時に必要であるため、ガスタービンあるいは原子力発電からの排熱や自然エネルギーを用いなくとも、その都度ボイラーやヒーターなどの加温設備によって高温水にしてもよい。
【００２０】
活性炭吸着処理設備１４に与えられた高温流体１０には、一度活性炭に吸着したホウ素およびその他の物質が脱着し、廃液２４として廃棄される。この廃液２４には、取水した海水１２中にもともと存在していたホウ素や有機物などの物質しか含まれておらず、水環境の負荷は増加しない。ただし、廃液２４は暖められており、その温度の廃液２４が排気されると、環境の生態系に悪影響を及ぼす可能性がある。そのため、活性炭から脱着した物質を含む高温流体１０の廃液２４は、大気中にその熱エネルギーを放出などの処理をして、温度を海水温程度まで低下させてから廃棄することが望ましい。
【００２１】
図１に示す例では、逆浸透膜式海水淡水化設備１８の上流側に活性炭吸着処理設備１４を設置している。この場合、活性炭にはホウ素以外に有機物や微粒子も吸着される。それが原因で、逆浸透膜のファウリングや目詰まりが低減される。また、海水１２を活性炭吸着処理設備１４に継続して通水していると、もともと海水１２中に生息していた微生物が活性炭表面に付着し、繁殖する場合がある。その結果、微生物がその体内から排出する有機物によって逆浸透膜がファウリングあるいは目詰まりする恐れがある。
【００２２】
本実施例では、図１で示した構成のように、高温流体１０を活性炭吸着処理設備１４に供給することで、微生物の繁殖を抑制あるいは微生物を殺すことができる。これは、通常繁殖している条件と異なる環境を微生物に与えることでダメージを与え、微生物の体内に含まれるタンパク質が熱変性するためである。
【００２３】
図２では、活性炭吸着処理設備１４を、図１の場合と逆の逆浸透膜式海水淡水化設備１８の下流側に設置した例を示す。活性炭はさまざまな物質を吸着する能力があるため、逆浸透膜式海水淡水化設備１８より前段にあると海水１２に含まれる有機物や微粒子もホウ素と同様に活性炭表面に付着してしまい、ある頻度で高温流体１０による脱着処理が必要となる。
【００２４】
図２の構成は、この頻度の低減を目的とする。逆浸透膜式海水淡水化設備１８を通過した水には有機物や微粒子はほとんど含まれておらず、ホウ素など溶解成分の一部しか含まれていない。したがって、逆浸透膜式海水淡水化設備１８から流出する淡水２０を活性炭吸着処理設備１４へ導くことで、残留しているホウ素をより効率的に吸着除去することが可能となる。
【００２５】
ただし、この場合には逆浸透膜式海水淡水化設備１８より前段で有機物や微粒子を吸着する設備がなくなるため、図１の場合に比べると逆浸透膜のファウリングや目詰まりが発生しやすくなる可能性がある。しかし、他の前処理設備が逆浸透膜式海水淡水化設備１８より上流側に備えられてファウリングや目詰まりを抑制する性能が十分であれば、図２の構成でも問題は生じない。
【００２６】
図３は、活性炭吸着処理設備１４へ高温流体注入設備２２から高温流体１０を供給して洗浄する信号を適切な時期に与えるための装置構成である。この場合、活性炭吸着処理設備１４は、逆浸透膜式海水淡水化設備１８より上流側であっても下流側であってもいずれでもよい。
【００２７】
活性炭吸着処理設備１４から流出する活性炭設備処理水１６は、水質計測装置３６によってその水質が計測される。この計測項目はホウ素濃度，アデノシン三リン酸，紫外線吸光度のいずれか１つを含む。このうちホウ素濃度は、活性炭の吸着能の残余分を評価することができる。アデノシン三リン酸は活性炭吸着処理設備１４で繁殖している微生物の量の指標となる。紫外線吸光度はその波長によっても異なるが、活性炭の吸着能の残余分を評価でき、活性炭吸着処理設備１４で繁殖している微生物の量の指標ともなりうる。
【００２８】
これらの成分の水質計測値３０は洗浄トリガ演算部３２に与えられる。洗浄トリガ演算部３２では水質計測値３０と予め設定したしきい値あるいは時間的変化データの分析に基づいて適切な洗浄時期を求め、洗浄トリガ信号３４を高温流体注入設備２２に与える。高温流体注入設備２２は、洗浄トリガ信号３４に基づいて高温流体１０を活性炭吸着処理設備１４に注入する。
【００２９】
その際、脱着した成分が活性炭設備処理水１６とともに下流側へ流出することを防ぐため、まず活性炭設備処理水１６側の弁を閉じ、廃液２４の排出弁を開とする。高温流体１０は、活性炭吸着処理設備１４の中で活性炭の温度を上昇させ、一度付着したホウ素やそのほかの成分を脱着させ、廃液２４として排出される。
【００３０】
このように、洗浄トリガ演算部３２を設けた構成とすることで、活性炭吸着処理設備１４の洗浄頻度を適正化でき、洗浄不足による下流側へのホウ素流出を抑制でき、洗浄過剰による造水効率の低下や廃液２４の増加を抑制する事ができる。
【００３１】
実施例１によれば、高温流体１０で洗浄する機能を備えた活性炭吸着処理設備１４を用いることで、薬品を使わずに海水１２に含まれているホウ素を除去することができる。廃液２４には薬品など人為的に加えられた成分が含まれないため、取水した海域へ戻してもその水温以外の問題は生じない。
【００３２】
又、活性炭吸着処理設備１４を逆浸透膜式海水淡水化設備１８の上流側に設置する事で、逆浸透膜のファウリングや目詰まりを抑制できる。その結果、逆浸透膜の長寿命化や動力費の低減，逆浸透膜の薬品洗浄で用いる薬剤量の低減が可能となる。
【００３３】
図４は、活性炭吸着処理設備１４の構造の一例である。活性炭４２はその使用とともに磨耗および破砕が起きるため、活性炭設備処理水１６に微細化した活性炭４２が流出する可能性がある。下流側に逆浸透膜式海水淡水化設備１８が備えられる場合、微細化した活性炭４２が逆浸透膜の流路閉塞を招きかねない。図４に示す活性炭吸着処理設備１４は、活性炭槽４０と活性炭槽４０の流出口に無機膜を備える。この構成によって、微細化した活性炭４２が流出しない。この構成で逆浸透膜式海水淡水化設備１８への悪影響を抑制できる。
【００３４】
高温流体１０でホウ素やそのほかの成分を脱着させるため、有機膜では耐熱性の問題があるため、無機膜である必要がある。無機膜の材料としては、ステンレスなどの金属であってもセラミックでもよい。
【００３５】
この構成では、活性炭の磨耗や破砕が起きなくても活性炭４２の粒径はもともとから小さくても流出しない。したがって粒状活性炭よりも粒径が小さい粉末活性炭であっても活性炭槽４０に備えることができる。粉末活性炭は１５０μｍ，１００μｍ、あるいは７５μｍ以下の粒径のものが一般に用いられているが、本実施例の粉末活性炭の粒径の範囲は、１５０μｍ，１００μｍ、あるいは７５μｍ以下でなくともよく、より大きい粒径の活性炭でもよい。
【００３６】
粒径が小さいと活性炭４２の比表面積が大きいため、吸着速度や吸着量が増え、活性炭吸着処理設備１４の規模を小さくすることができる。その結果、高温流体注入設備２２から供給する高温流体１０の量が少なくてもよく、効率的な脱着処理が可能となる。ただし、粒径にもよるが粉末活性炭は下降流で用いると圧密化されて抵抗が高くなる可能性があるため、上向流の槽で用いるのがよい。
【００３７】
活性炭４２は粒径が小さいと水流に乗って流れやすく沈降しづらいため、上向流であっても流速が早いと上面に設けた流出口側無機膜３８に粉末活性炭が付着して圧密化する可能性がある。そこで、図５に示すようにテーパーを設け、下方では上向流の流速が早く、上方の流出口付近では上向流の流速が遅くなるように構成することで上面の流出口側無機膜３８に粉末活性炭が付着して圧密化することを抑制できる。テーパーは図５に示すように直線状である必要はなく、曲線上であっても階段状でもよく、下部の断面積に比べて上部の断面積が大きい箇所があればよい。
【００３８】
本実施例では、活性炭吸着処理設備１４の後段へ微細化した活性炭や微粒子が流出しないため、すぐ下流側に逆浸透膜式海水淡水化設備１８が備えられていても流路の閉塞を抑制することができる。
【００３９】
又、活性炭４２の粒径が小さくても下流へ流出しないため、粒径が小さい粉末状の活性炭を用いる事が可能であり、その結果、吸着速度や吸着量が増加して活性炭吸着処理設備１４の規模が小さくなり、イニシャルコストやランニングコストを低減することができる。
【００４０】
又、活性炭槽４０を上向流とし、下部の断面積に比べて上部の断面積が大きい箇所を設けることで、上面に設けた流出口側無機膜３８に微細な活性炭４２が付着して圧密化することを抑制でき、長期の連続運転が可能となる。
【実施例２】
【００４１】
本発明の実施例２を図６により説明する。
【００４２】
図６は、実施例２の活性炭吸着処理設備１４の構造の一例であり、その断面図を示す。実施例２においては、無機膜を活性炭槽４０の流出口側と流入口側の双方に設け、活性炭４２は活性炭槽４０の外へ流出しない仕組みとする。活性炭吸着処理設備流入水２８は上向流であり、活性炭吸着処理設備流入口４４から流入し、流入口側無機膜４８の下側の面で粗大な有機物や微粒子が分離除去される。引き続いて流入水は上向流で活性炭槽４０の活性炭４２と接触する。粉末活性炭など活性炭４２の粒径が小さい場合には活性炭槽４０の内部は流動床となる。ここでホウ素とともに微細な有機物や微粒子が吸着分離される。流入口側無機膜４８を通過できない粗大な有機物や微粒子は活性炭槽４０の内部へ流入できない。
【００４３】
したがって、活性炭表面に吸着する物質が減り、活性炭４２の表面が有効に利用されるため、ホウ素の吸着能が飽和に達するまでの期間を長くでき、高温流体１０による洗浄頻度を減少できる。
【００４４】
活性炭槽４０の上部には流出口側無機膜３８が備えられ、ここで活性炭４２が分離除去される。活性炭粒子の粒径がきわめて小さく沈降性が悪い場合には、上向流の流れによって流出口側無機膜３８の下側に活性炭４２が付着して圧密化する可能性がある。それを抑制するためには、上向流の流速を低く維持することができ、沈降性が良い活性炭を用いることがよい。
【００４５】
流出口側無機膜３８をろ過した活性炭設備処理水１６は活性炭吸着処理設備流出口４６から流出する。
【００４６】
高温流体１０で活性炭槽４０の活性炭４２を洗浄する際には、逆に活性炭吸着処理設備流出口４６から下降流で高温流体１０を通過させる。流入口側無機膜４８が備えられているため、活性炭４２は活性炭槽４０から流出しない。
【００４７】
洗浄時は水流が通常の吸着使用時と逆方向になるため、流出口側無機膜３８の下方に付着している物質、主に微細な活性炭４２は剥離して活性炭槽４０の中に戻る。これによって流出口側無機膜３８のろ過性能が回復する。高温流体１０であるため、低い温度の流体に比べて高い洗浄効果がある。
【００４８】
高温流体１０は、活性炭４２を加温し、活性炭４２に吸着されていた物質、主にホウ素，有機物，微粒子を脱着して液中に移動させる。移動した成分は、元々は上向流で流入口側無機膜４８を通過して流入した物質であるため、逆に洗浄工程の下降流でも流入口側無機膜４８を通過して流出する。洗浄によって発生した廃液は、流入口側無機膜４８よりも上流側に設けた排出口５０から排出される。
【００４９】
流入口側無機膜４８の孔径は、微細な活性炭４２が流出しない大きさとすることが望ましい。ただし、活性炭槽４０で吸着した有機物がほかの有機物と合体し大きな有機物となっている可能性があるため、その大きさの有機物が洗浄時に活性炭槽４０から除去できるように、流入口側無機膜４８の孔径を流出口側無機膜３８の孔径よりも大きくしてもよい。この下降流により流入口側無機膜４８の下側の面に付着していた粗大な有機物や微粒子は逆洗されて剥離し、流入口側無機膜４８のろ過性能も回復する。高温流体１０であるため、低い温度の流体に比べて高い洗浄効果がある。
【００５０】
本実施例では、活性炭吸着処理設備流入口４４側にも流入口側無機膜４８を設けているので、活性炭表面には粗大な有機物や微粒子が分離された海水１２が接触するため、活性炭４２のホウ素吸着能が飽和に達するまでの期間を長くでき、高温流体１０による洗浄頻度を減少できる。
【００５１】
また、高温流体１０による洗浄を活性炭吸着処理設備流出口４６から活性炭吸着処理設備流入口４４に向け、このように逆方向に向けて洗浄を実施しても活性炭４２が流出せず、表面に吸着されていた物質が流出する。この高温流体１０の洗浄効果によって流入口側無機膜４８および流出口側無機膜３８のろ過性能も効率的に回復する。
【実施例３】
【００５２】
本発明の実施例３を図７により説明する。
【００５３】
図７は実施例３の活性炭吸着処理設備１４の構造の一例であり、その断面図を示す。実施例３の活性炭吸着処理設備１４では、活性炭吸着処理設備流入水２８は、流入口側無機膜４８へ活性炭吸着処理設備流入口４４から下降流として流入する。活性炭吸着処理設備流入水２８に含まれる粗大な有機物や粒子は、流入口側無機膜４８の上面で分離される。流入口側無機膜４８を通過した活性炭吸着処理設備流入水２８は、活性炭槽４０の中の活性炭４２に接触し、ホウ素，微細な有機物，微粒子が吸着除去される。その後、流出口側無機膜３８で微細な活性炭４２は分離され、粗大な有機物や粒子，ホウ素，微細な有機物，微粒子が除去された液が活性炭設備処理水１６として流出する。
【００５４】
高温流体１０で活性炭槽４０の活性炭４２を洗浄する際には、逆に活性炭吸着処理設備流出口４６から鉛直下方に向けて高温流体１０を注入する。流入口側無機膜４８が備えられているため、活性炭４２は活性炭槽４０から流出しない。洗浄時は水流が通常使用時と逆方向になるため、流出口側無機膜３８の下方に付着している物質、主に微細な活性炭４２は、剥離して活性炭槽４０の中に戻る。これによって流出口側無機膜３８のろ過性能が回復する。高温流体１０であるため、低い温度の流体に比べて高い洗浄効果がある。
【００５５】
高温流体１０は活性炭４２を加温し、活性炭４２に吸着されていた物質、主にホウ素，有機物，微粒子が脱着されて液中に移動する。移動した成分は、元々は流入口側無機膜４８を上向流で通過して流入した物質であるため、洗浄工程の上向流でも流入口側無機膜４８を通過して流出する。
【００５６】
流入口側無機膜４８の孔径は、微細な活性炭４２が流出しない大きさとすることが望ましい。ただし、活性炭槽４０で吸着した有機物が他の有機物と合体して大きな有機物となっている場合があるため、その大きさの有機物が洗浄時に活性炭槽４０から除去できるように流入側無機膜の孔径を流出側無機膜の孔径よりも大きくしてもよい。
【００５７】
この上向流により流入口側無機膜４８の上面に付着していた粗大な有機物や微粒子は逆洗されて剥離し、流入口側無機膜４８のろ過性能も回復する。高温流体１０であるため、低い温度の流体に比べて高い洗浄効果がある。
【００５８】
図６に示した構造と異なり、本実施例の活性炭吸着処理設備１４では、洗浄時には流入口側無機膜４８に対して上向流で高温流体１０が流れる。上向流の流速を低く維持すること及び沈降性が良い活性炭４２を用いることで、洗浄時に流入口側無機膜４８のろ過性能が低下するのを抑制することができる。
【００５９】
本実施例によれば、洗浄時に流入口側無機膜４８へ高温流体１０が上向流で与えられる構造としているので、洗浄時のろ過抵抗の低下を抑制することができ、洗浄時間の短縮および流入口側無機膜４８の目詰まりを低減することが可能となる。
【符号の説明】
【００６０】
１０  高温流体
１２  海水
１４  活性炭吸着処理設備
１６  活性炭設備処理水
１８  逆浸透膜式海水淡水化設備
２０  淡水
２２  高温流体注入設備
２４  廃液
２６  濃縮海水
２８  活性炭吸着処理設備流入水
３０  水質計測値
３２  洗浄トリガ演算部
３４  洗浄トリガ信号
３６  水質計測装置
３８  流出口側無機膜
４０  活性炭槽
４２  活性炭
４４  活性炭吸着処理設備流入口
４６  活性炭吸着処理設備流出口
４８  流入口側無機膜
５０  排出口
【図１】
0005577113.tif 000002
【図２】
0005577113.tif 000003
【図３】
0005577113.tif 000004
【図４】
0005577113.tif 000005
【図５】
0005577113.tif 000006
【図６】
0005577113.tif 000007
【図７】
0005577113.tif 000008